(57)【要約】【課題】短時間で組み立てることができ、プライバシーも十分守られる災害救護用応急仮設テントハウスを提供する。【解決手段】骨組Ａの内側に、前後左右の壁シート部１，２，３，４と屋根シート部５と床シート部６とからなる可撓性プラスチックシート製の袋状ハウス本体Ｂを配置し、床シート部６を地面に設置させた状態で屋根シート部５側を骨組Ａに吊り下げ、袋状ハウス本体Ｂの屋根シート部５を骨組Ａの外側から屋根カバーシートＣで被うと共に、前後左右壁シート部１，２，３，４を骨組Ａの外側から壁カバーシートＤで被い、壁シート部１にファスナー１０付き出入り口９及び防虫網８付き窓開口部７を設け、壁カバーシートＤには壁シート部３，４の出入り口９と重合する箇所にファスナー４７付き出入り口４６を設け、壁シート部１の窓開口部７と重合する箇所に日除け４３付き窓開口部４２を設ける。【選択図】図８
2008214962.tif 000002
【特許請求の範囲】
【請求項１】
鋼管等によって分解可能に組み立てた骨組の内側に、前後左右の壁シート部と屋根シート部と床シート部とからなる可撓性プラスチックシート製の袋状ハウス本体を配置して、床シート部を地面に設置させた状態で屋根シート部側を骨組に吊り下げ、この袋状ハウス本体の屋根シート部を骨組の外側から屋根カバーシートで被うと共に、前後左右壁シート部を骨組の外側から壁カバーシートで被い、袋状ハウス本体の壁シート部には所要箇所にファスナー付き出入り口及び防虫網付き窓開口部を設け、壁カバーシートには壁シート部の出入り口と重合する箇所にファスナー付き出入り口を設け、壁シート部の窓開口部と重合する箇所に日除け付き窓開口部を設けてなる災害救護用応急仮設テントハウス。
【請求項２】
袋状ハウス本体の壁シート部の所要箇所に所要間隔で両側一対の縦の切込みと両切込みの下端を結ぶ横の切込みとからなるコ字状の切込みを入れ、壁カバーシートには壁シート部のコ字状切込みと重合する箇所に切込み入れ、壁シート部のコ字状切込みで囲まれる部分と壁カバーシートの切込みで囲まれる部分とを一体的に重合して、上方へ捲くり上げ可能とし、この捲くり上げ重合シート部の先端部に先端側支持杆を取り付け、この支持杆の両端に上端部を夫々つながれる両側一対のサイド支持杆の夫々下端部を骨組側に取り付けることによって、開閉式日除け兼窓口を形成してなる請求項１に記載の災害救護用応急仮設テントハウス。
【請求項３】
骨組は、屋根杆と両側一対の支柱と各支柱の下端部に取り付けるジャッキベースとこれの下端部どうしをつなぐ横つなぎ材とによってユニット枠を分解可能に組み立て、このユニット枠を所要間隔おきに複数並置し、対向するユニット枠の支柱どうし及び屋根杆どうしを縦つなぎ材で切り離し可能に連結して組み立てるようになっている請求項１又は２に記載の災害救護用応急仮設テントハウス。
【発明の詳細な説明】
【技術分野】
【０００１】
本発明は、地震等の災害発生時に被災者の緊急救護に使用するための応急仮設テントハウスに関するものである。
【背景技術】
【０００２】
従来この種の応急仮設テントハウスとして特許公報等の公知文献を具体的に挙げることはできないが、地震等の大きな災害が発生した直後に被災者を緊急救護する場所として、従来では学校の体育館や公民館等が使用されたり、また災害発生直後に道路が閉鎖された状態で、応急仮設プレハブ住宅ができる迄の間に物置等を利用して緊急に設置される簡易ハウスが使用される。
【発明の開示】
【発明が解決しようとする課題】
【０００３】
災害発生直後の被災者の応急救護場所として、体育館や公民館等を使用する場合には、一つの空間に複数の他人が共存することになるため、プライバシー保護の点で問題となっている。また、災害発生直後はライフラインも復旧していないので、仮設住宅も設置できなかった。
【０００４】
本発明は、上記のような課題に鑑み、プライバシーも十分守られると共に、通気性及び断熱性に優れ、しかも短時間で簡単に組み立てることができる災害救護用応急仮設テントハウスを提供ことを目的とする。
【課題を解決するための手段】
【０００５】
上記課題を解決するための手段を、後述する実施形態の参照番号を付して説明すると、請求項１に係る発明の災害救護用応急仮設テントハウスは、鋼管等によって分解可能に組み立てた骨組Ａの内側に、前後左右の壁シート部１，２，３，４と屋根シート部５と床シート部６とからなる可撓性プラスチックシート製の袋状ハウス本体Ｂを配置して、床シート部６を地面に設置させた状態で屋根シート部５側を骨組Ａに吊り下げ、この袋状ハウス本体Ｂの屋根シート部５を骨組Ａの外側から屋根カバーシートＣで被うと共に、前後左右壁シート部１，２，３，４を骨組Ａの外側から壁カバーシートＤで被い、袋状ハウス本体Ｂの壁シート部１，２，３，４には所要箇所にファスナー１０付き出入り口９及び防虫網８付き窓開口部７を設け、壁カバーシートＤには壁シート部１，２，３，４の出入り口９と重合する箇所にファスナー４７付き出入り口４６を設け、壁シート部１，２，３，４の窓開口部７と重合する箇所に日除け４３付き窓開口部４２を設けてなる災害救護用応急仮設テントハウス。
【０００６】
請求項２は、請求項１に記載の災害救護用応急仮設テントハウスにおいて、袋状ハウス本体Ｂの壁シート部１，２，３，４の所要箇所に所要間隔で両側一対の縦の切込み１１，１１と両切込み１１，１１の下端を結ぶ横の切込み１２とからなるコ字状の切込みを入れ、壁カバーシートＤには壁シート部１，２，３，４のコ字状切込み１１，１１，１２と重合する箇所に切込み入４５，４５を入れ、壁シート部１，２，３，４のコ字状切込みで囲まれる部分１ａと壁カバーシートＤの切込み４５，４５で囲まれる部分３８ａとを一体的に重合して、上方へ捲くり上げ可能とし、この捲くり上げ重合シート部１ａ，３８ａの先端部に先端側支持杆５３を取り付け、この支持杆５３の両端に上端部を夫々つながれる両側一対のサイド支持杆５４，５４の夫々下端部を骨組Ａ側に取り付けることによって、開閉式日除け兼窓口５５を形成してなることを特徴とする。
【０００７】
請求項３は、請求項１又は２に記載の災害救護用応急仮設テントハウスにおいて、骨組Ａは、屋根杆１５と両側一対の支柱１４，１４と各支柱１４の下端部に取り付けるジャッキベース１８とこれの下端部どうしをつなぐ横つなぎ材１６とによってユニット枠ａを分解可能に組み立て、このユニット枠ａを所要間隔おきに複数並置し、対向するユニット枠ａ，ａの支柱１４，１４どうし及び屋根杆１５，１５どうしを縦つなぎ材１７で切り離し可能に連結して組み立てるようになっていることを特徴とする。
【発明の効果】
【０００８】
上記解決手段による発明の効果を、後述する実施形態の参照番号を付して説明すると、請求項１に係る発明の災害救護用応急仮設テントハウスによれば、骨組Ａを組み立てて、その内側に、前後左右壁シート部１，２，３，４と屋根シート部５と床シート部６とからなる可撓性プラスチックシート製の袋状ハウス本体Ｂを配置して、床シート部６を地面に設置させた状態で屋根シート部５側を骨組Ａに吊り下げ、このハウス本体Ｂの屋根シート部５を骨組Ａの外側から屋根カバーシートＣで被うと共に、前後左右壁シート部１，２，３，４を骨組Ａの外側から壁カバーシートＤで被うようにすればよいから、きわめて短時間で所要の場所に簡単に仮設することができ、地震発生直後の被災者の救護場所として最適である。
【０００９】
また、このテントハウスは、ハウス本体Ｂと、これを被う屋根カバーシートＣ及び壁カバーシートＤとの二重シート構造で、断熱性に優れているから、真冬時の寒さや真夏時の暑さにも十分対応でき、また袋状ハウス本体Ｂの壁シート部１，２，３，４には所要箇所にファスナー１０付き出入り口９及び防虫網８付き窓開口部７を設け、壁カバーシートＤには壁シート部１，２，３，４の出入り口９と重合する箇所にファスナー４７付き出入り口４６を設け、壁シート部１，２，３，４の窓開口部７と重合する箇所に日除け４３付き窓開口部４２を設けているから、日差し、風通しも良好となり、季節を問わず友好に使用できる。
【００１０】
更にこのハウス本体Ｂは袋状であるから、取り扱い易く、骨組Ａへの取付け及び取外しが容易となり、また床シート部６を一体に有するために、従来のテントハウスと異なり、降雨時に雨水の浸入することがないし、小動物が侵入することもなく、また窓開口部７には防虫網８が付いているため虫が入り込むこともない。更にこの応急仮設テントハウスは１個の独立したハウスであるため、プライバシーも十分に守ることができる。
【００１１】
請求項２に係る発明のように、開閉式日除け兼窓口５５を形成することにより、夏季にはテントハウス内の風通しが良好になると共に真夏等の強い日差しを避けることができ、また冬季などでは、サイド支持杆５４，５４を取り外すことにより、捲くり上げ重合シート部１ａ，３８ａを降ろして窓口５５を閉鎖することができる。
【００１２】
請求項３に係る発明のように、屋根杆１５と両側一対の支柱１４，１４と各支柱１４の下端部に取り付けるジャッキベース１８とこれの下端部どうしをつなぐ横つなぎ材１６とによってユニット枠ａを分解可能に組み立て、このユニット枠ａを所要間隔おきに複数並置し、対向するユニット枠ａ，ａの支柱１４，１４どうし及び屋根杆１５，１５どうしを縦つなぎ材１７で切り離し可能に連結して骨組Ａ組み立てるようになっているから、骨組Ａの組み立て作業及び分解作業を容易且つ迅速に行うことができる。
【発明を実施するための最良の形態】
【００１３】
以下に本発明の好適な実施形態を図面に基づいて説明すると、図１は本発明に係る応急仮設テントハウスの骨組の正面図、図２は同応急仮設テントハウスの側面図であり、図３の(a) は骨組の分解斜視図、(b) はジャッキベースと横つなぎ材の連結構造を示す断面図であり、図４は袋状ハウス本体を正面側から見た斜視図、図５は骨組に袋状ハウス本体を取り付けている途中の状態を示す斜視図であり、図６は骨組に袋状ハウス本体を取り付けた状態の正面図、図７の(a) は骨組に袋状ハウス本体を取り付けた状態の側面図、(b) は同状態の斜視図、図８は袋状ハウス本体とこのハウス本体に取り付けられる屋根カバーシート及び壁カバーシートを示す斜視図である。
【００１４】
この応急仮設テントハウスは、図１〜図７に示すように、骨組Ａの内側に、前後左右の壁シート部１，２，３，４と屋根シート部５と床シート部６とからなる袋状ハウス本体Ｂを配置して、床シート部６を地面に設置させた状態で屋根シート部５側を骨組Ａに吊り下げ、そして図８に示すようにこの袋状ハウス本体Ｂの屋根シート部５を骨組Ａの外側から屋根カバーシートＣで被うと共に、前後左右壁シート部１，２，３，４を骨組Ａの外側から壁カバーシートＤで被うようにしたものである。
【００１５】
上記応急仮設テントハウスの構造について詳しく説明すれば、骨組Ａは、図３及び図５に示すように、山形の屋根杆１５と、両側一対の支柱１４，１４と、各支柱１４の下端部に取り付けるジャッキベース１８と、このジャッキベース１８の下端部どうしをつなぐ横つなぎ材１６とによってユニット枠ａを分解可能に組み立て、このユニット枠ａを所要間隔おきに複数並置して、対向するユニット枠ａ，ａの支柱１４，１４どうし及び屋根杆１５，１５どうしを縦つなぎ材１７により切り離し可能に連結して組み立てたものであり、このテントハウスを撤去する際には、これら支柱１４、屋根杆１５、横つなぎ材１６及び縦つなぎ材１７を互いに切り離して個々に分解することができる。尚、支柱１４、屋根杆１５及び縦つなぎ材１７は夫々鋼管（スチールパイプ）で形成され、横つなぎ材１６は角形鋼で形成される。
【００１６】
骨組Ａを構成するジャッキベース１８、支柱１４、屋根杆１５、横つなぎ材１６及び縦つなぎ材１７を図３によって更に説明すると、同図の(a) に示すように、各屋根杆１５の両裾部には夫々の前後両側面部又は前後何れか一側面部に楔受け２９が縦向きに取り付けられ、山頂部には楔受け２９が横向きに取り付けられ、また各支柱１４には下端部の前後両側面部又は前後何れか一側面部に楔受け３０が取り付けられ、そして縦つなぎ材１７の両端部には前記楔受け２９，３０に楔係合する楔片３１が直角に突設されている。ジャッキベース１８は、ベースプレート１８ａに螺軸１８ｂを立設し、この螺軸１８ｂに支柱受け１８ｃを螺合したものである。ジャッキベース１８のベースプレート１８ａには略々Ｚ字形の取付片３２が溶接により固着されていて、この取付片３２を同図の(b) に示すように角形鋼からなる横つなぎ材１６の端部に挿入して蝶ボルト３３及びナット３４で固定することにより、ジャッキベース１８と横つなぎ材１６とを連結することができる。
【００１７】
しかして、ユニット枠ａを形成するには、屋根杆１５の両端差込軸部１５ａ，１５ａを支柱１４，１４の夫々の上端部に差し込み、各支柱１４の下端部をジャッキベース１８の螺軸１８ｂに嵌合して支柱受け１８ｃに支持させると共に、支柱受け１８ｃを適宜回転させて支柱１４を高さ調整することにより、所定高さの自立したユニット枠ａを形成する。こうして形成したユニット枠ａ，ａの支柱１４，１４どうし及び屋根杆１５，１５どうしを縦つなぎ材１７で連結するにあたっては、縦つなぎ材１７の端部に突設された楔片３１を屋根杆１５側の楔受け２９及び支柱１４の下端部の楔受け３０に叩き込んで係合すればよい。尚、屋根杆１５の山頂部に取り付けられた横向きの楔受け２９は縦つなぎ材１７の楔片３１を係合させただけでは抜けるおそれがあるため、その楔受け２９に設けたピン孔２９ａ（図３参照）から楔片３１のピン孔（図示省略）に抜け止めピン（図示省略）を挿着する必要がある。また、各ユニット枠ａの対向するジャッキベース１８，１８間に横つなぎ材１６を配置して、各ジャッキベース１８と横つなぎ材１６とを前記取付片３２を介して蝶ボルト３３及びナット３４で連結すればよい。
【００１８】
図１、図２及び図５は、上記のようにして組み立てられた骨組Ａを示したものである。尚、図１及び図５に示すように、骨組Ａの正面側中央部には後述する開閉式日除け兼窓口５５を形成するために、骨組Ａの中央側で隣り合う二つのユニット枠ａ，ａの正面側支柱１４，１４の下端部間から縦つなぎ材１７を取り外している。
【００１９】
また図３及び図５に示すように、各ユニット枠ａの屋根杆１５の山頂部と両裾部、及び屋根杆１５の山頂部どうしをつなぐ縦つなぎ材１７の中央部には、シート取付用リング２４が夫々下向きに突出するように取り付けられている。各リング２４は、後述するように袋状ハウス本体Ｂに設けてある帯状取付代２５の鳩目２６との間にインシュロック５０を通して締め付けることにより、袋状ハウス本体Ｂを骨組Ａに取り付けるようになっている。
【００２０】
袋状ハウス本体Ｂの構造について説明すれば、この袋状ハウス本体Ｂは、図４に示すように、可撓性プラスチックシートとしての例えば半透明ポリエチレンシートによって、前後左右の壁シート部１，２，３，４と、切妻形の屋根シート部５と、床シート部６とからなる袋状に形成されており、そして袋状ハウス本体Ｂの各稜線に沿って帯状の取付代２４が設けられ、各取付代２４には所定間隔おきに鳩目２５が設けてある。また、壁シート部１，２，３，４の例えば前壁シート部１には左右両側に窓開口部７が設けてあって、各窓開口部７には内側から防虫網８が張られている。また、左右各壁シート部３，４は、図４及び図７に示すように、その中央部が縦方向に切り開かれて出入り口９を形成し、その切り開き部には開閉用のスライドファスナー１０が設けられている。
【００２１】
また、壁シート部１，２，３，４の例えば前壁シート部１には、両側一対の縦の切込み１１，１１と両切込み１１，１１の下端を結ぶ横の切込み１２とからなるコ字状の切込み１１，１１，１２を入れ、このコ字状の切込み１１，１１，１２によって囲まれるシート部分１ａを捲り上げることができるようになっている。尚、横の切込み１２は、前壁シート部１の下端縁部、即ち床シート部６との境界部に沿って切り込まれる。
【００２２】
袋状ハウス本体Ｂを形成するには、例えば上記ポリエチレンシートを適宜に裁断して、前壁シート部１、後壁シート部２、左壁シート部３、右壁シート部４、屋根シート部５及び床シート部６を夫々形成すると共に、これらのシート部１〜６には夫々糊代部を設けておいて、これらのシート部１〜６を夫々糊代部を介して接着剤で接着することによって、図４に示すような袋状に形成し、更にこの袋状ハウス本体Ｂの各稜線に沿って鳩目２５付きの取付代２４を縫い付ける。
【００２３】
袋状ハウス本体Ｂを骨組Ａに取り付けるにあたっては、骨組Ａを所定の場所に組み立てた後、図５に示すように、この骨組Ａの内側に袋状ハウス本体Ｂを持ち込んで、このハウス本体Ｂの床シート部６を地面に接地させた状態で屋根シート部５を骨組Ａの屋根相当箇所に吊り下げればよい。この場合、骨組Ａの内側に持ち込んだ袋状ハウス本体Ｂの屋根シート部５を骨組Ａの屋根相当箇所に吊り下げれば、床シート部６は必然的に地面に接地するようになる。屋根シート部５を骨組Ａに吊り下げるには、図１１の(b) に示すように、屋根杆１５に取り付けある各シート取付用リング２４と、屋根シート部５の各取付代２４に設けてある鳩目２５とにインシュロック５０を通して縛り付けるようにすればよい。
【００２４】
また袋状ハウス本体Ｂを骨組Ａに取り付ける際には、図４に示すようにハウス本体Ｂの四隅部（壁シート部１，２，３，４の隅角部）の稜線に沿って設けてある各取付代２４の鳩目２５に通したインシュロック５０を、図７の(a) に示すように支柱１４に巻き付けて縛り付けることで、ハウス本体Ｂの全体を安定良く骨組Ａに取り付けることができる。
【００２５】
次に、袋状ハウス本体Ｂの屋根シート部５を被う屋根カバーシートＣ及び壁シート部１，２，３，４を被う壁カバーシートＤについて説明する。屋根カバーシートＣは、図８に概略示すように、袋状ハウス本体Ｂのシートよりも厚くて断熱性能の良好な可撓性プラスチックシートである厚手のポリエチレンシートによって、屋根本体部３５と、屋根本体部３５の前後端縁から垂下した垂下部３６，３６と、屋根本体部３５の左右両端を塞ぐような妻部３７，３７とを形成したもので、ハウス本体Ｂの屋根シート部５及びその周辺下端部に被嵌されるようになっている。
【００２６】
壁カバーシートＤも屋根カバーシートＣと同じ様な厚手のポリエチレンシートで形成されたもので、図８に概略示すように、ハウス本体Ｂの前壁シート部１を被う前カバー部３８と、後壁シート部２を被う後カバー部３９と、前後カバー部３８，３９間に介在され、ハウス本体Ｂの右壁シート部４を被う右カバー部４０と、前カバー部３８の端部に連成され、ハウス本体Ｂの左壁シート部３を被う左カバー部４１と、前記右カバー部３９に連成された接合部３９ｏとからなり、前カバー部３８には、ハウス本体Ｂの前壁シート部１の窓開口部７，７と重合する箇所に夫々窓開口部４２が開口され、各窓開口部４２には外側に日除け４３（図９参照）が取り付けられるようになっている。
【００２７】
上記日除け４３は、例えば簾からなるもので、図１０に示すように、通常は巻取紐４４で窓開口部４２の上端側にロール状に巻き取られていて、使用時に巻取紐４４を解くことより、窓開口部４２を塞ぐようになっている。
【００２８】
また、壁カバーシートＤの前カバー部３８には、図８に示すように、ハウス本体Ｂの壁シート部１の切込み１１，１１と重合する箇所に切込み４５，４５が入れてあって、壁シート部１のコ字状切込み１１，１１，１２で囲まれる部分１ａと壁カバーシートＤの切込み４５，４５で囲まれる部分３８ａとを一体的に重合して（図１２参照）、上方へ捲くり上げることができるようにしている。また、左右カバー部４１，４２には、壁シート部１の出入り口９と重合する箇所に出入り口（切り開き部）４６が形成されて、この出入り口４６に開閉用のスライドファスナー４７が設けられている。
【００２９】
しかして、上記のような構成の屋根カバーシートＣ及び壁カバーシートＤをハウス本体Ｂに装着するには、先ず、骨組Ａに取り付けられているハウス本体Ｂの壁シート部１，２，３，４に対し骨組Ａの外側から帯状の壁カバーシートＤを巻き付けるように当てつけ、左カバー部４１に連成された接合部４１ｏを左カバー部４１の端部に重ね合わせた状態で接合部３９ｏと左カバー部４１とにわたって粘着テープ又はマジックテープ（登録商標）により接着固定する。
【００３０】
こうしてハウス本体Ｂの壁シート部１，２，３，４を壁カバーシートＤにて被った後、ハウス本体Ｂの屋根シート部５側に屋根カバーシートＣを被せる。この時、屋根カバーシートＣの垂下部３６及び妻部３７の下端部は、壁カバーシートＤの上端部を外側から被った状態となる。この後、屋根カバーシートＣの垂下部３６及び妻部３７の下端部を壁カバーシートＤの上端部に対し固定する。
【００３１】
上記壁カバーシートＤの固定にあたっては、図１１に示すように、壁カバーシートＤの上端部側には予め鳩目４８を所要間隔おきに設けると共に、屋根カバーシートＣの垂下部３６及び妻部３７下端部の夫々裏側には鳩目５９付き取付用帯片５８を取り付けておき、しかして同図の(b) に示すように、屋根カバーシートＣ側に取り付けた取付用帯片５８の鳩目５９と、壁カバーシートＤ側に設けた鳩目４８とにわたってインシュロック５０のアーム５０ａを挿通して縛りつけることにより、屋根カバーシートＣの垂下部３６及び妻部３７の下端部を壁カバーシートＤに対し固定する。
【００３２】
尚、屋根カバーシートＣをハウス本体Ｂの屋根シート部５側に取り付ける際には、骨組Ａの端部側に配置されるユニット枠ａの屋根杆１５端部に突設してあるガイドピン５１に屋根カバーシートＣの四隅に設けられたガイド孔（鳩目）５２を挿通させることにより、屋根カバーシートＣをハウス本体Ｂの屋根シート部５に対し安定良く、的確に取り付けることができる。
【００３３】
上記のようにしてハウス本体Ｂの屋根シート部５を屋根カバーシートＣで被うと共に、壁シート部１，２，３，４を壁カバーシートＤで被った後、ハウス本体Ｂの壁シート部１のコ字状切込み１１，１１，１２で囲まれる部分１ａと、壁カバーシートＤの切込み４５，４５で囲まれる部分３８ａとを図１２に示すように重ね合わせ、例えばマジックテープ（登録商標）で両側端縁部を止めるなどして一体的に上方へ捲くり上げ可能な状態とし、しかしてこの捲くり上げ重合シート部１ａ，３８ａの先端部には下面側から先端側支持杆５３を取り付け、この支持杆５３の両端に上端部を夫々つながれる両側一対のサイド支持杆５４，５４の夫々下端部を、骨組Ａを構成するユニット枠ａの支柱１４の下端部にある楔受け３０に突入係止することによって、開閉式日除け兼窓口５５を形成する（図９、図１２及び図１３参照）。
【００３４】
この開閉式日除け兼窓口５５を形成するにあたっては、図１２及び図１３の(a) ，(b) に示すように、先端側支持杆５３及びサイド支持杆５４として夫々丸パイプを使用して、先端側支持杆５３の両端部内に夫々ナット５６を埋入固着し、サイド支持杆５４の上下両端部５４ａ，５４ｂを夫々扁平状に形成すると共に、下端側の扁平部５４ｂを所要角度に屈曲し、しかして先端側支持杆５３の両端部に夫々サイド支持杆５４の扁平状上端部５４ａから蝶ボルト５７をナット５６に螺入して固定し、各サイド支持杆５４の扁平状下端部５４ｂを、ユニット枠ａの支柱１４の下端部に設けてある楔受け３０に突入係止し、かかる状態で先端側支持杆５３を前記捲くり上げ重合シート部１ａ，３８ａの先端部下面側に固定する。
【００３５】
上記のような開閉式日除け兼窓口５５を形成することによって、夏季にはテントハウス内の風通しが良好になると共に、真夏等の強い日差しを避けることができるようになる。また、冬季などにおいては、蝶ボルト５７を緩めて先端側支持杆５３の端部から各サイド支持杆５４の上端部５４ａを外し、その下端部５４ｂを支柱１４下端部の楔受け３０から抜いて両サイド支持杆５４，５４を取り外すことにより、捲くり上げ重合シート部１ａ，３８ａを降ろして窓口５５を閉鎖することができる。この際、ハウス本体Ｂの壁シート部１の切込み１１，１１及び壁カバーシートＤの切込み４５，４５に夫々開閉用のスライドファスナーを取り付けておけば、窓口５５を確実に閉鎖できる。
【００３６】
以上説明したような災害救護用応急仮設テントハウスによれば、骨組Ａを組み立てて、その内側に、前後左右の壁シート部１，２，３，４と屋根シート部５と床シート部６とからなる可撓性プラスチックシート製の袋状ハウス本体Ｂを配置して、床シート部６を地面に設置させた状態で屋根シート部５側を骨組Ａに吊り下げ、この袋状ハウス本体Ｂの屋根シート部５を骨組Ａの外側から屋根カバーシートＣで被うと共に、前後左右壁シート部１，２，３，４を骨組Ａの外側から壁カバーシートＤで被うようにすればよいから、きわめて短時間で所望の場所に仮設することができ、地震発生直後の被災者の救護場所として最適である。
【００３７】
特にこの応急仮設テントハウスは、袋状のハウス本体Ｂと、このハウス本体Ｂを被う屋根カバーシートＣ及び壁カバーシートＤとの二重シート構造で、断熱性に優れているから、真冬時の寒さや真夏時の暑さにも十分対応でき、また袋状ハウス本体Ｂの壁シート部１，２，３，４には所要箇所にファスナー１０付き出入り口９及び防虫網８付き窓開口部７を設け、壁カバーシートＤには壁シート部１，２，３，４の出入り口９と重合する箇所にファスナー４７付き出入り口４６を設け、壁シート部１，２，３，４の窓開口部７と重合する箇所に日除け４３付き窓開口部４２を設けているから、日差し、風通しも良好で、快適に使用することができるし、また小動物が侵入したり、虫が入り込むことがない。
【００３８】
また、ハウス本体Ｂは、袋状であるから、取り扱い易く、骨組Ａへの取付け及び取外しが容易であり、また床シート部６を一体に有するために、従来のテントハウスと異なり、降雨時に雨水の浸入するようなことがない。また、この応急仮設テントハウスは、１個の独立したハウスであるから、プライバシーも十分に守られることになる。
【００３９】
図１４及び図１５は応急仮設テントハウスの四隅に転倒防止用ロープ６０を張設した実施形態を示す。即ち、一端部に係止用リング６１を取り付け、他端部に係止用輪っか６２を形成したワイヤー等からなる転倒防止用ロープ６０と、ターンバックル６３（図１４の(c) 参照）と、スクリューアンカー６４（図１４の(d) 参照）とを用意しておき、そして各ロープ６０の一端部の係止用リング６１を、ユニット枠ａの屋根杆１５端部に突設してあるガイドピン５１に係止し、他端部の輪っか６２にターンバックル６３を取り付けて、このターンバックル６３を、地面の所定個所に埋入したスクリューアンカー６４に取り付け、ターンバックル６３を締め込んでロープ６０を緊張させる。こうしておくことによって、強風時等でも応急仮設テントハウスの転倒を防止することができる。
【００４０】
尚、スクリューアンカー６４は、図１４の(d) に示すように、スクリュー本体６４ａの一端部にフック６４ｂを形成すると共に座金６４ｃを固着してなるもので、スクリュー本体６４ａを回しながら座金６４ｃが地面に着くまでねじ込むことによって、図１５に示すように地中に固定することができる。
【図面の簡単な説明】
【００４１】
【図１】図１は本発明に係る応急仮設テントハウスの骨組の正面図である。
【図２】同応急仮設テントハウスの側面図である。
【図３】(a) は骨組の分解斜視図、(b) はジャッキベースと横つなぎ材の連結構造を示す断面図である。
【図４】袋状ハウス本体を正面側から見た斜視図である。
【図５】骨組に袋状ハウス本体を取り付けている途中の状態を示す斜視図である。
【図６】骨組に袋状ハウス本体を取り付けた状態の正面図である。
【図７】(a) は骨組に袋状ハウス本体を取り付けた状態の側面図、(b) は同状態の斜視図である。
【図８】袋状ハウス本体とこれに取り付けられる屋根カバーシート及び壁カバーシートを示す斜視図である。
【図９】(a) はハウス本体に屋根カバーシート及び壁カバーシートを取り付けた状態の応急仮設テントハウスの斜視図、(b)は同応急仮設テントハウスの側面図である。
【図１０】同応急仮設テントハウスの正面図である。
【図１１】(a) は図９の(b) の矢印イで示される部分の拡大図、(b) は(a) のＸ−Ｘ線拡大断面図、(c) はインシュロックを示す斜視図である。
【図１２】開閉式日除け兼窓口の縦断面図である。
【図１３】(a) は開閉式日除け兼窓口を構成する先端側支持杆及びサイド支持杆の取付け状態を示す正面図、(b) はサイド支持杆を示す側面図である。
【図１４】(a) は応急仮設テントハウスの四隅に転倒防止用ロープを張設した実施形態を示す斜視図、(b) は転倒防止用ロープの一部拡大斜視図、(c) はターンバックルの拡大正面図、(d) はスクリューアンカーの拡大正面図である。
【図１５】転倒防止用ロープの設置状態を示す拡大側面図である。
【符号の説明】
【００４２】
Ａ              骨組
１，２          前後壁シート部
３，４          左右壁シート部
５              屋根シート部
６              床シート部
７              窓開口部
９              出入り口
Ｂ              袋状ハウス本体
Ｃ              屋根カバーシート
Ｄ              壁カバーシート
【図１】
2008214962.tif 000003
【図２】
2008214962.tif 000004
【図３】
2008214962.tif 000005
【図４】
2008214962.tif 000006
【図５】
2008214962.tif 000007
【図６】
2008214962.tif 000008
【図７】
2008214962.tif 000009
【図８】
2008214962.tif 000010
【図９】
2008214962.tif 000011
【図１０】
2008214962.tif 000012
【図１１】
2008214962.tif 000013
【図１２】
2008214962.tif 000014
【図１３】
2008214962.tif 000015
【図１４】
2008214962.tif 000016
【図１５】
2008214962.tif 000017